(57)【特許請求の範囲】
【請求項１】
画像を表示可能な表示領域を有する表示装置と、
前記表示領域よりも前側で、互いに離れた状態であって前記表示領域を覆う領域が相対的に小さい待機位置と、互いに近接した状態であって前記表示領域を覆う領域が相対的に大きい進出位置との間を移動可能に設けられた第一主演出部材および第二主演出部材と、
この第一主演出部材および第二主演出部材の少なくともいずれか一方に、前記表示領域を覆わない状態である非被覆姿勢と、前記表示領域を覆う状態である被覆姿勢との間を変位可能となるように取り付けられた補助演出部材と、を備え、
前記第一主演出部材および前記第二主演出部材が前記待機位置に位置するときにはそれに取り付けられた前記補助演出部材が前記非被覆姿勢となる一方、
前記第一主演出部材および前記第二主演出部材が前記進出位置に位置するときにはそれに取り付けられた前記補助演出部材が前記被覆姿勢となり、前記表示領域の少なくとも一部がこれら第一主演出部材、第二主演出部材、および補助演出部材に覆われた状態となり、
前記待機位置に位置する主演出部材の少なくとも一部、または、前記待機位置に位置する主演出部材の少なくとも一部およびこの主演出部材に取り付けられた補助演出部材が収納される収納部を備え、
前記収納部は、前記主演出部材が待機位置に位置するとき、それに取り付けられた前記補助演出部材が被覆姿勢であるとこれら両演出部材を収納することは困難な形状である一方、前記補助演出部材が前記非被覆姿勢となることにより両演出部材を収納することが可能な形状であることを特徴とする遊技機。
【請求項２】
前記収納部のうち、前記待機位置に位置する主演出部材の少なくとも一部およびこの主演出部材に取り付けられた補助演出部材の両方が収納される収納部には、その他の箇所に比較して狭い補助演出部材収納箇所が形成されており、この補助演出部材収納箇所に前記非被覆姿勢となった補助演出部材が収納されることを特徴とする請求項１に記載の遊技機。
【請求項３】
前記補助演出部材を前記被覆姿勢となる方向に付勢する第一付勢部材を備え、
前記補助演出部材収納箇所には、前記主演出部材が前記待機位置の方向に移動するにつれて、前記主演出部材に取り付けられた補助演出部材を前記第一付勢部材の付勢力に抗して前記非被覆姿勢とする方向に変位させる補助演出部材変位部が設けられていることを特徴とする請求項２に記載の遊技機。
【請求項４】
前記補助演出部材は、前記非被覆姿勢となる状態と、前記被覆姿勢となる状態との間を回動可能となるように前記主演出部材に取り付けられており、
前記補助演出部材変位部は、前記補助演出部材を前記非被覆姿勢と前記被覆姿勢との間で回動させて変位させる曲面を有し、
前記主演出部材が前記進出位置に位置するときに前記被覆姿勢にある補助演出部材が、前記待機位置の方向に移動する前記主演出部材とともに移動し、前記補助演出部材変位部の曲面に接触することにより、前記主演出部材が前記待機位置の方向へ移動するにつれて当該接触位置が変化し、前記被覆姿勢にある補助演出部材が前記第一付勢部材の付勢力に抗して前記非被覆姿勢となる方向へ徐々に回動していくように構成されていることを特徴とする請求項３に記載の遊技機。
【請求項５】
前記表示領域における、前記進出位置に位置する第一主演出部材または前記進出位置に位置する第一主演出部材とそれに取り付けられた前記被覆姿勢にある補助演出部材によって覆われる領域の形状は、前記進出位置に位置する第二主演出部材または前記進出位置に位置する第二主演出部材とそれに取り付けられた前記被覆姿勢にある補助演出部材によって覆われる領域の形状と略同じであることを特徴とする請求項１から請求項４のいずれか一項に記載の遊技機。
【請求項６】
前記進出位置に位置する前記第一主演出部材および前記第二主演出部材は、他方の主演出部材側の縁同士が当接した状態となり、
当該当接した縁を対称軸として、前記表示領域における、前記進出位置に位置する第一主演出部材または前記進出位置に位置する第一主演出部材とそれに取り付けられた前記被覆姿勢にある補助演出部材によって覆われる領域と、前記進出位置に位置する第二主演出部材または前記進出位置に位置する第二主演出部材とそれに取り付けられた前記被覆姿勢にある補助演出部材によって覆われる領域とが、略線対称であることを特徴とする請求項５に記載の遊技機。
【請求項７】
前記第一主演出部材および前記第二主演出部材の少なくともいずれか一方の移動に伴って移動する従演出部材を備え、
前記第一主演出部材および前記第二主演出部材が前記進出位置に位置するときには、前記従演出部材が前記表示領域における前記主演出部材および前記補助演出部材が覆う領域とは異なる領域を覆う被覆位置まで移動することにより、前記表示領域の略全域が前記第一主演出部材、前記第二主演出部材、前記補助演出部材、および前記従演出部材によって覆われた状態となることを特徴とする請求項１から請求項６のいずれか一項に記載の遊技機。
【請求項８】
前記従演出部材を前記初期位置に位置させる方向に付勢する第二付勢部材を備え、
前記主演出部材が前記待機位置から前記進出位置に移動したときには、この主演出部材が前記第二付勢部材の付勢力に抗して前記従演出部材を前記被覆位置に移動させ、
前記主演出部材が前記進出位置から前記待機位置に移動したときには、前記第二付勢部材の付勢力によって前記従演出部材が前記初期位置に移動させられることを特徴とする請求項７に記載の遊技機。
【発明の詳細な説明】
【技術分野】
【０００１】
本発明は、表示装置の前側で移動する演出部材を備えた遊技機に関する。
【背景技術】
【０００２】
例えば、下記特許文献１に記載されるように、表示装置の前側で移動する演出部材を備えた遊技機が公知である。演出部材は、表示装置の表示領域（映像）が見えなくなるように遮蔽したり、一部透明または半透明な箇所を有し、その透明または半透明な箇所に表示装置の映像を重ねることにより、表示装置と協働した演出を提供したりするものである。つまり、所定の演出を提供しようとする際に、表示装置の表示領域を覆うように表示領域に対して前後方向に重なる部材である。
【先行技術文献】
【特許文献】
【０００３】
【特許文献１】特開２００８−２００３０６号公報
【発明の概要】
【発明が解決しようとする課題】
【０００４】
近年、パチンコ遊技機などの遊技機における表示領域の大型化が進んでいる。それゆえ、演出の趣向性を向上させるために、その大型化した表示領域をできるだけ広範に覆う演出部材を用いようとすると、演出部材が表示領域の面方向に大型化してしまい、演出部材を限られた遊技機内のスペースに配置することができなくなるという問題があった。
【０００５】
上記実情に鑑み、本発明は、表示領域を覆う範囲が従来に比して大きい演出部材を備えた遊技機を提供することを目的とする。
【課題を解決するための手段】
【０００６】
上記課題を解決するためになされた請求項１の発明にかかる遊技機は、画像を表示可能な表示領域を有する表示装置と、前記表示領域よりも前側で、互いに離れた状態であって前記表示領域を覆う領域が相対的に小さい待機位置と、互いに近接した状態であって前記表示領域を覆う領域が相対的に大きい進出位置との間を移動可能に設けられた第一主演出部材および第二主演出部材と、この第一主演出部材および第二主演出部材の少なくともいずれか一方に、前記表示領域を覆わない状態である非被覆姿勢と、前記表示領域を覆う状態である被覆姿勢との間を変位可能となるように取り付けられた補助演出部材と、を備え、前記第一主演出部材および前記第二主演出部材が前記待機位置に位置するときにはそれに取り付けられた前記補助演出部材が前記非被覆姿勢となる一方、前記第一主演出部材および前記第二主演出部材が前記進出位置に位置するときにはそれに取り付けられた前記補助演出部材が前記被覆姿勢となり、前記表示領域の少なくとも一部がこれら第一主演出部材、第二主演出部材、および補助演出部材に覆われた状態となり、前記待機位置に位置する主演出部材の少なくとも一部、または、前記待機位置に位置する主演出部材の少なくとも一部およびこの主演出部材に取り付けられた補助演出部材が収納される収納部を備え、前記収納部は、前記主演出部材が待機位置に位置するとき、それに取り付けられた前記補助演出部材が被覆姿勢であるとこれら両演出部材を収納することは困難な形状である一方、前記補助演出部材が前記非被覆姿勢となることにより両演出部材を収納することが可能な形状であることを特徴とする。
【０００７】
請求項２に記載の発明は、請求項１に記載の遊技機において、前記収納部のうち、前記待機位置に位置する主演出部材の少なくとも一部およびこの主演出部材に取り付けられた補助演出部材の両方が収納される収納部には、その他の箇所に比較して狭い補助演出部材収納箇所が形成されており、この補助演出部材収納箇所に前記非被覆姿勢となった補助演出部材が収納されるところに特徴を有する。
【０００８】
請求項３に記載の発明は、請求項２に記載の発明において、前記補助演出部材を前記被覆姿勢となる方向に付勢する第一付勢部材を備え、前記補助演出部材収納箇所には、前記主演出部材が前記待機位置の方向に移動するにつれて、前記主演出部材に取り付けられた補助演出部材を前記第一付勢部材の付勢力に抗して前記非被覆姿勢とする方向に変位させる補助演出部材変位部が設けられているところに特徴を有する。
【０００９】
請求項４に記載の発明は、請求項３に記載の発明において、前記補助演出部材は、前記非被覆姿勢となる状態と、前記被覆姿勢となる状態との間を回動可能となるように前記主演出部材に取り付けられており、前記補助演出部材変位部は、前記補助演出部材を前記非被覆姿勢と前記被覆姿勢との間で回動させて変位させる曲面を有し、前記主演出部材が前記進出位置に位置するときに前記被覆姿勢にある補助演出部材が、前記待機位置の方向に移動する前記主演出部材とともに移動し、前記補助演出部材変位部の曲面に接触することにより、前記主演出部材が前記待機位置の方向へ移動するにつれて当該接触位置が変化し、前記被覆姿勢にある補助演出部材が前記第一付勢部材の付勢力に抗して前記非被覆姿勢となる方向へ徐々に回動していくように構成されているところに特徴を有する。
【００１０】
請求項５に記載の発明は、請求項１から請求項４のいずれか一項に記載の発明において、前記表示領域における、前記進出位置に位置する第一主演出部材または前記進出位置に位置する第一主演出部材とそれに取り付けられた前記被覆姿勢にある補助演出部材によって覆われる領域の形状は、前記進出位置に位置する第二主演出部材または前記進出位置に位置する第二主演出部材とそれに取り付けられた前記被覆姿勢にある補助演出部材によって覆われる領域の形状と略同じであるところに特徴を有する。
【００１１】
請求項６に記載の発明は、請求項５に記載の発明において、前記進出位置に位置する前記第一主演出部材および前記第二主演出部材は、他方の主演出部材側の縁同士が当接した状態となり、当該当接した縁を対称軸として、前記表示領域における、前記進出位置に位置する第一主演出部材または前記進出位置に位置する第一主演出部材とそれに取り付けられた前記被覆姿勢にある補助演出部材によって覆われる領域と、前記進出位置に位置する第二主演出部材または前記進出位置に位置する第二主演出部材とそれに取り付けられた前記被覆姿勢にある補助演出部材によって覆われる領域とが、略線対称であるところに特徴を有する。
【００１２】
請求項７に記載の発明は、請求項１から請求項６のいずれか一項に記載の発明において、前記第一主演出部材および前記第二主演出部材の少なくともいずれか一方の移動に伴って移動する従演出部材を備え、前記第一主演出部材および前記第二主演出部材が前記進出位置に位置するときには、前記従演出部材が前記表示領域における前記主演出部材および前記補助演出部材が覆う領域とは異なる領域を覆う被覆位置まで移動することにより、前記表示領域の略全域が前記第一主演出部材、前記第二主演出部材、前記補助演出部材、および前記従演出部材によって覆われた状態となるところに特徴を有する。
【００１３】
請求項８に記載の発明は、請求項７に記載の発明において、前記従演出部材を前記初期位置に位置させる方向に付勢する第二付勢部材を備え、前記主演出部材が前記待機位置から前記進出位置に移動したときには、この主演出部材が前記第二付勢部材の付勢力に抗して前記従演出部材を前記被覆位置に移動させ、前記主演出部材が前記進出位置から前記待機位置に移動したときには、前記第二付勢部材の付勢力によって前記従演出部材が前記初期位置に移動させられるところに特徴を有する。
【発明の効果】
【００１４】
請求項１に記載の発明にかかる遊技機では、表示領域は第一主演出部材および第二主演出部材だけでなく、補助演出部材にも覆われる。つまり、表示領域における演出部材に覆われる領域を補助演出部材の分、従来に比して大きくすることが可能となる。そして、補助演出部材は、主演出部材が待機位置に位置するときに非被覆姿勢となるものであるから、演出部材全体が表示領域に沿う面方向に大きくなってしまうのを抑制することが可能となる。つまり、限られた遊技機内のスペースに演出部材を配置することが容易になる。
また、主演出部材が待機位置に位置するとき、補助演出部材は非被覆姿勢となっているため、所定の収納部内に両演出部材を収納することが可能となる。つまり、仮に主演出部材が待機位置に位置するときに補助演出部材が被覆姿勢となる（補助演出部材を用いずに主演出部材のみで同じ領域を覆うことができる）ように構成すると、当該収納部内に演出部材を収納することが困難になるところ、上記請求項１にかかる発明によれば、当該収納部内に演出部材を収納することが可能となる。
【００１５】
請求項２に記載の発明のように、収納部にその他の箇所に比較して狭い補助演出部材収納箇所が形成されるような構成であっても、主演出部材が待機位置に位置するとき補助演出部材が非被覆姿勢となるから、当該収納部に両演出部材を収納することが可能となる。
【００１６】
請求項３に記載の発明によれば、主演出部材の移動に伴って補助演出部材を変位させる構成を簡単に構築することが可能である。
【００１７】
請求項４に記載の発明によれば、補助演出部材変位部に曲面を設けるという簡単な構造によって補助演出部材を変位させることが可能となる。
【００１８】
請求項５に記載の発明は、第一主演出部材単独または第一主演出部材および補助演出部材によって覆われる領域と、第二主演出部材単独または第二主演出部材および補助演出部材によって覆われる領域が略同じになるというものである。また、請求項６に記載の発明は、第一主演出部材単独または第一主演出部材および補助演出部材によって覆われる領域と、第二主演出部材単独または第二主演出部材および補助演出部材によって覆われる領域が略線対称になるというものである。つまり、演出部材を配置するスペースの制限があるような場合であっても、補助演出部材を用いることによって、一方側の演出部材（組）と他方側の演出部材（組）との釣り合いがとれた演出形態とすることが可能となる。
【００１９】
請求項７に記載の発明のように、主演出部材の移動に伴って移動する従演出部材を用いることにより、主演出部材、補助演出部材、および従演出部材によって表示領域の略全域を覆うことができる構成とすることが可能となる。
【００２０】
請求項８に記載の発明によれば、主演出部材の移動に伴って従演出部材を移動させる構成を簡単に構築することが可能である。
【図面の簡単な説明】
【００２１】
【図１】本発明の実施形態にかかる遊技機の正面図である。
【図２】（各演出部材が演出作用を発現する位置に位置していない状態における）遊技盤の正面図である。
【図３】各演出部材が演出作用を発現する位置に位置した状態における演出装置を遊技盤とともに示した図である。
【図４】ベース部材の外観図である。
【図５】ベース部材に演出装置が取り付けられたものの外観図である。
【図６】ベース部材に演出装置が取り付けられたものを図５よりもやや上方から見た外観図であって、各演出部材が演出作用を発現しない位置に位置した状態を示したものである。
【図７】ベース部材に演出装置が取り付けられたものを図５よりもやや上方から見た外観図であって、各演出部材が演出作用を発現する位置に位置した状態を示したものである。
【図８】演出装置を後方から見た外観図であって、各演出部材が演出作用を発現しない位置に位置した状態を示したものである（図の左側の動力伝達要素が露出するように当該部分を覆うカバーを取り外した状態である）。
【図９】演出装置を後方から見た外観図であって、各演出部材が演出作用を発現する位置に位置した状態を示したものである。
【図１０】（ａ）は第一主演出部材とそれに取り付けられた非被覆姿勢にある補助演出部材を前方から見た外観図であり、（ｂ）は第一主演出部材とそれに取り付けられた非被覆姿勢にある補助演出部材を後方から見た外観図である。
【図１１】（ａ）は第一主演出部材とそれに取り付けられた被覆姿勢にある補助演出部材を前方から見た外観図であり、（ｂ）は第一主演出部材とそれに取り付けられた被覆姿勢にある補助演出部材を後方から見た外観図である。
【図１２】第一主演出部材とそれに取り付けられた補助演出部材を後方から見た外観図であって、カバーが取り外された状態を示したものである。
【図１３】第一主演出部材と補助演出部材の組体と第一従演出部材を前方から見た外観図（分解斜視図）である。
【図１４】第一主演出部材と補助演出部材の組体と第一従演出部材を後方から見た外観図（分解斜視図）である。
【図１５】第二主演出部材、第二従演出部材、およびそれに取り付けられる第二従演出部材支持板を前方から見た外観図（分解斜視図）である。
【図１６】第二主演出部材、第二従演出部材、およびそれに取り付けられる第二従演出部材支持板を後方から見た外観図（分解斜視図）である。
【図１７】補助演出部材収納箇所に収納された第二主演出部材、第二従演出部材、およびそれに取り付けられる第二従演出部材支持板を後方から見た外観図（分解斜視図）である。
【図１８】第一従演出部材が第一収納部に収納される際に押出突起によって手前側に押し出される様子を示した外観図である。
【図１９】第一従演出部材が第一収納部に収納される際に押出突起によって手前側に押し出される様子を示した断面図である。
【発明を実施するための形態】
【００２２】
以下、本発明にかかる実施形態について図面を参照して詳細に説明する。なお、以下の説明において単に前側（前方）とは遊技機１の手前側（遊技時に遊技者が位置する側）のことであり、単に後側（後方）とは遊技機１の背面側のことである。また、単に左側、右側、上側、下側とは、遊技機１を正面から見た場合の左側、右側、上側、下側のことであり、図１〜図３における左側、右側、上側、下側を指す。前後方向とは後述する表示領域９２１（表示装置９２の表示面）に垂直な方向のことであり、幅方向とは左右方向のことである。また、面方向とは表示領域９２１に平行な面方向のことであって、上記前後方向に直交する方向のことである。
【００２３】
（遊技機の全体構成）
遊技機１の全体構成について簡単に説明する。図１〜図３に示されるように、遊技機１は、所定の奥行きを有する額縁形状の機枠８０を備える。この機枠８０には前面枠８１が取り付けられている。前面枠８１は、その左側縁が機枠８０に回動自在に支持され、前側に開閉可能である。また、前面枠８１には、ガラス枠８２が取り付けられている。ガラス枠８２は、その左側縁が前面枠８１に回動自在に支持され、前側に開閉可能である。
【００２４】
ガラス枠８２の中央の開口部にはガラス板またはプラスチック板等の透明な板が設けられており、遊技者はこの透明な板を通して前側から遊技盤９０を視認できる。また、ガラス枠８２の下部には、払い出された遊技球を発射装置に送るまで貯めておく上皿ユニット８３が設けられている。上皿ユニット８３には、貯留されている遊技球を下皿ユニット８５に流下させる上皿スイッチや、貸し出し可能な貸し球を払い出す球貸しスイッチ等が設けられている。また、ガラス枠８２の上部左右両側には、スピーカ８４が設けられている。
【００２５】
前面枠８１の下部には、払い出された遊技球が上皿ユニット８３に入りきらない場合等に遊技球を貯めることができる下皿ユニット８５や、遊技球を発射操作するためのタッチスイッチを備える発射ハンドル８６等が設けられている。下皿ユニット８５の左側には、表示装置９２に表示される演出に応じて遊技者が操作を行う遊技スイッチ８７が設けられている。
【００２６】
図２および図３に示す遊技盤９０は、ほぼ正方形の合板により成形されており、前面枠８１に着脱可能に取り付けられている。この遊技盤９０には、発射装置から発射された遊技球をガイドする金属製の薄板からなる帯状のガイドレール９１が略円弧形状となるように設けられており、このガイドレール９１によって遊技領域の外郭の一部が形成されている。遊技盤９０の遊技領域には、始動入賞口９３１、大入賞口９３２、アウト口９３３などが設けられている。
【００２７】
表示装置９２は、例えば液晶表示装置が用いられ、表示装置９２の表示領域９２１（表示面）において特別図柄や普通図柄等が表示される。かかる表示装置９２の表示領域９２１は、遊技盤９０に形成された開口９０１を通じて視認可能である。表示装置９２の周辺には、遊技の演出効果を高めるための各種演出部材を備えた演出装置２が設けられている。かかる演出装置２の構成の詳細については後述する。
【００２８】
遊技盤９０の遊技領域には、流下する遊技球が衝突することにより遊技球の流下態様に変化を与える障害物としての図示しない遊技釘が複数設けられている。遊技領域を流下する遊技球は、遊技釘に衝突したときの条件に応じて様々な態様に変化する。
【００２９】
なお、図示しないが、遊技機１の背面側には、枠用外部端子基板、表示制御基板、主制御基板、音声制御基板、ランプ制御基板、払出制御基板、発射制御基板、電源基板等の各種基板、カードインターフェース接続部、球寄せ、球タンク、タンクレール、払出装置、発射装置等の各種の遊技機構成部材が設けられている。
【００３０】
このような遊技機１では、発射ハンドル８６の操作により、発射装置から遊技領域に遊技球を発射し、遊技領域を流下する遊技球が、始動入賞口９３１や大入賞口９３２等の入賞口に入賞すると、所定の数の賞球が払出装置により払い出される。その他、大当たりの抽選方法等は、公知の遊技機の制御方法が適用できるため、説明は省略する。
【００３１】
（演出装置の構成）
遊技機１が備える演出装置２の構成について図２〜図１９を参照して詳細に説明する。演出装置２は、表示領域９２１の前側で所定の動作を行う各種演出部材、および演出部材を動作させるための駆動機構６を備える装置である。
【００３２】
１）演出部材の構成
本実施形態では、演出部材として、主演出部材３、補助演出部材４、および従演出部材５が用いられている。以下、各演出部材について詳細に説明する。
【００３３】
本実施形態では、主演出部材３として、上側に位置する第一主演出部材３１および下側に位置する第二主演出部材３２という二つの主演出部材が用いられている。上側に位置する第一主演出部材３１は、前後方向から見て（遊技者から見て）長方形の一部が切り欠かれたような形状を有する部材である。本実施形態の第一主演出部材３１は、右上隅の一部が長方形状に切り欠かれている（以下、当該箇所を切り欠かれた箇所３１１と称することもある）。一方、第二主演出部材３２は、前後方向から見て（遊技者から見て）長方形に形成された部材である。第一主演出部材３１が全く切り欠かれた箇所３１１のない長方形に形成された部材であると仮定した場合、当該仮定の形状と第二主演出部材３２の形状は略同じである。
【００３４】
これら主演出部材３は、機枠８０に固定されたベース部材７に次のように支持されている。図４に示すように、ベース部材７は、中央が大きく開口した面方向に沿うベース板の周縁から前方に向かって起立した側壁が形成されたような部材である。ベース板における開口の幅方向外側には、上下方向に沿う長孔である案内孔が複数形成されたレール部材７１が固定されている（図５〜図７参照）。主演出部材３の後面における幅方向両側のそれぞれには、主演出部材取付具（第一主演出部材取付具７２１および第二主演出部材取付具７２２）の一端（幅方向内側の端部）が接続されている（図８および図９参照）。第一主演出部材３１に取り付けられた第一主演出部材取付具７２１の他端（幅方向外側の端部）は、駆動機構６を構成する第一ラック部材６３に固定されており、この第一ラック部材６３に形成された二つの第一被案内突起６３２がレール部材７１の幅方向外側に位置する上下二つの第一案内孔７１１のそれぞれに係合している。第二主演出部材３２に取り付けられた第二主演出部材取付具７２２の他端は、同じく駆動機構６を構成する第二ラック部材６４に固定されており、この第二ラック部材６４に形成された二つの第二被案内突起６４２がレール部材７１の下側の幅方向内側に位置する上下二つの第二案内孔７１２のそれぞれに係合している。
【００３５】
ここで、第一主演出部材３１に接続される第一主演出部材取付具７２１の一端には、両者を接続するための取付ねじ７２１ｂが挿通される孔が形成されるところ、本実施形態では当該孔は上下方向に長い長孔７２１ａとなっている（図８および図９参照）。そして、第一主演出部材取付具７２１に対して第一主演出部材３１が動き得るように、取付ねじ７２１ｂの締付力が調節されている。すなわち、長孔７２１ａ内を取付ねじ７２１ｂが動き得る範囲において、第一種演出部材取付具に対して第一主演出部材３１が上下方向に相対的に動き得る。なお、このような接続構造は第二主演出部材３２と第二主演出部材取付具７２２の接続には本実施形態では用いられていない。
【００３６】
このようにベース部材７に固定されたレール部材７１に支持された主演出部材３は、レール部材７１の案内孔に沿って、すなわち上下方向に移動可能である。つまり、主演出部材取付具の他端が固定されたラック部材の被案内突起が、レール部材７１の案内孔に係合する範囲内（案内孔の上端から下端の範囲内）で移動可能である。第一主演出部材３１は表示領域９２１の上下方向における略中央より上側で表示領域９２１に沿って上下方向に移動可能である。第二主演出部材３２は表示領域９２１の上下方向における略中央より下側で表示領域９２１に沿って上下方向に移動可能である。第一主演出部材３１と第二主演出部材３２とは、前後方向における位置が略一致するため、第一主演出部材３１が下方に、第二主演出部材３２が上方に移動すると、他方側の主演出部材３側の縁同士が当接する。第一主演出部材３１は、「待機位置」となる最も上方に位置した状態から、「進出位置」となる第二主演出部材３２に当接する位置まで移動可能である。第二主演出部材３２は、「待機位置」となる最も下方に位置した状態から、「進出位置」となる第一主演出部材３１に当接する位置まで移動可能である。
【００３７】
このように、両主演出部材３が待機位置に位置するときには、両主演出部材３は互いに離れた状態にあり、進出位置に位置するときには両演出部材が互いに当接して両演出部材の間に隙間のない状態となる。例えば図２と図３や図６と図７を比較すれば分かるように、待機位置に位置する主演出部材３が表示領域９２１を覆う領域（演出部材と表示領域９２１が前後方向に重なった部分の領域をいう。以下同じ）は、進出位置に位置する主演出部材３が表示領域９２１を覆う領域と比べて小さくなる。なお、本実施形態では、待機位置に位置する主演出部材３は表示領域９２１を覆わない。上記「待機位置に位置する主演出部材３が表示領域９２１を覆う領域は、進出位置に位置する主演出部材３が表示領域９２１を覆う領域と比べて小さくなる」という構成には、このように待機位置に位置する主演出部材３が表示領域９２１を全く覆わない構成も含まれるものとする。
【００３８】
図３、図７、図９〜図１２に示す補助演出部材４は、第一主演出部材３１に取り付けられた板状の部材である。具体的には、補助演出部材４は、第一主演出部材３１における長方形状に切りかかれた部分と略同形状に形成された板状の部材であって、第一主演出部材３１における切り欠かれた箇所３１１の下側縁に沿う部分に対して回動自在に取り付けられている。詳しくは次の通りである。
【００３９】
図１１および図１２に示すように、第一主演出部材３１における切り欠かれた箇所３１１の下側縁に沿う部分には、補助演出部材支持軸４２が取り付けられている。補助演出部材支持軸４２は、第一主演出部材３１の下側縁に沿う部分に係止された溝に係合されている。補助演出部材４の脱落は、第一主演出部材３１の後面側から取り付けられるカバー４３によって防止されている。補助演出部材４は、この補助演出部材支持軸４２に回動自在に支持されている。補助演出部材４には、後側から見て右側縁から突出する回動止突起４１が形成されている。補助演出部材４が起立し、面方向に沿う状態となったとき（第一主演出部材３１（の前面）と補助演出部材４（の前面）が略面一となったとき）、回動止突起４１が第一主演出部材３１の後面に接触した状態となる。つまり、補助演出部材４はそれ以上前方に回動することはない。以下、この面方向に沿う状態の補助演出部材４の姿勢を「被覆姿勢」と称する。また、補助演出部材４は、補助演出部材４自身が第一主演出部材３１の側縁部やカバー４３の上端面に当接する地点まで後方に倒れる方向に回動可能である。具体的には、面方向に対して略直交する状態まで回動可能である。以下、この面方向に対して略直交する状態の補助演出部材４の姿勢を「非被覆姿勢」と称する。補助演出部材支持軸４２には、補助演出部材４を付勢するねじりコイルばね４４（本発明における第一付勢部材に相当する）が挿通されている。ねじりコイルばね４４は、補助演出部材４が前方に回動する方向、すなわち被覆姿勢となる方向に付勢する。したがって、補助演出部材４に何も力が作用していない状態では、補助演出部材４は被覆姿勢となる。
【００４０】
上述したように、補助演出部材４は、第一主演出部材３１の切り欠かれた箇所３１１と略同形状に形成されている。そのため、補助演出部材４が被覆姿勢となり、第一主演出部材３１と補助演出部材４が略面一となった状態における第一主演出部材３１と補助演出部材４の組体を前方から見た形状（長方形状）は、第二主演出部材３２を前方から見た形状（長方形状）と略一致する。したがって、第一主演出部材３１と補助演出部材４の組体および第二主演出部材３２の全体が表示領域９２１に対して前後方向に重なった状態にあるとき、当該重なった部分（被覆する部分）の領域は略同じになる。
【００４１】
図３、図５〜図７、図９、図１３〜図１６に示す従演出部材５は、主演出部材３の移動に伴って移動する演出部材である。本実施形態では、第一主演出部材３１の移動に伴って移動する第一従演出部材５１および第二主演出部材３２の移動に伴って移動する第二従演出部材５２が設けられている。各従演出部材５は、各主演出部材３と略同一幅に形成された装飾部分（演出に寄与する部分）を有する部材であって、各主演出部材３に対して相対的に上下方向に移動可能となるよう取り付けられている。詳しくは以下の通りである。
【００４２】
第一主演出部材３１には、その幅方向両側の側面から幅方向外向きに突出する第一被ガイド突起３１２（本実施形態では二つの突起から構成される突起組である）が形成されている。一方、第一従演出部材５１には、その幅方向両側の側面を貫通する上下方向に延びる長孔である第一ガイド孔５１１が形成されている。この両第一ガイド孔５１１のそれぞれに第一被ガイド突起３１２が係合されている。なお、第一被ガイド突起３１２の先端に固定される脱落防止部材が、第一被ガイド突起３１２が第一ガイド孔５１１から外れてしまうことを防止している。かかる構成とすることにより、第一被ガイド突起３１２が第一ガイド孔５１１に係合する範囲内で、第一従演出部材５１が第一主演出部材３１に対して相対的に上下方向に移動可能となっている。
【００４３】
第一従演出部材５１には、その装飾部分から上方に延びる部分の幅方向両側に第一引っ張りコイルばね５１３（本発明における第二付勢部材に相当する）の一端が引っ掛けられる下第一ばね引掛部５１２が形成されている。第一引っ張りコイルばね５１３の他端は、ベース部材７の上側壁の下に設けられた上第一ばね引掛部７６に引っ掛けられている。つまり、第一従演出部材５１は第一引っ張りコイルばね５１３によって上方に向かって付勢されている。以下、第一引っ張りコイルばね５１３によって付勢されて最も上方に位置した状態（ベース部材７の上側壁に接触した状態）にある第一従演出部材５１の位置を「初期位置」と称する。
【００４４】
第一主演出部材３１が下方、すなわち進出位置に向かって移動すると、第一主演出部材３１に形成された第一被ガイド突起３１２が下方に向かって移動する。第一被ガイド突起３１２が第一ガイド孔５１１の下端側内面に接触していない状態においては、第一主演出部材３１に伝わった駆動源（モータ６１）の動力が第一従演出部材５１まで伝わらないため、第一従演出部材５１は第一引っ張りコイルばね５１３の付勢力によって初期位置に位置した状態となる。第一被ガイド突起３１２が第一ガイド孔５１１の下端側内面に接触した後は、第一被ガイド突起３１２によって第一ガイド孔５１１の下端側内面が押され、第一主演出部材３１とともに第一従演出部材５１が下方に向かって移動する。つまり、第一従演出部材５１は、第一主演出部材３１が進出位置に位置した状態となるまで下方に向かって移動する。以下、当該第一主演出部材３１が進出位置に位置したときにおける第一従演出部材５１の位置を「被覆位置」と称する。
【００４５】
図１３に示すように、第一ガイド孔５１１は第一従演出部材５１の装飾部分よりも下方に位置する部分を有する。また、第一被ガイド突起３１２は、第一主演出部材３１の上方寄りに形成されている。これら第一ガイド孔５１１および第一被ガイド突起３１２の形状は、第一被ガイド突起３１２が第一ガイド孔５１１の下端側内面に接触した状態となったとき、第一従演出部材５１の装飾部分が第一主演出部材３１の装飾部分（前面）と重ならない（厳密には隙間が生じないように僅かに重なる）ように設定されている。つまり、進出位置に位置する第一主演出部材３１が表示領域９２１に対して前後方向に重なる部分（被覆する部分）と、被覆位置に位置する第一従演出部材５１が表示領域９２１に対して前後方向に重なる部分（被覆する部分）とが異なる部分となるように構成されている（詳細は後述の動作説明参照）。
【００４６】
第二従演出部材５２は、ベース部材７に取り付けられた第二従演出部材支持板７３に取り付けられている。第二従演出部材５２には、その装飾部分から下方に延びる部分に、前方に向かって突出する第二被ガイド突起５２１（本実施形態では二つの突起から構成される突起組である）が二つ（二組）形成されている。第二従演出部材支持板７３には、上下方向に延びる第二ガイド孔７３１が二つ形成されており、この両第二ガイド孔７３１のそれぞれに第二被ガイド突起５２１が係合されている。なお、第二被ガイド突起５２１の先端に固定された脱落防止部材が、第二被ガイド突起５２１が第二ガイド孔７３１から外れてしまうことを防止している。かかる構成とすることにより、第二被ガイド突起５２１が第二ガイド孔７３１に係合する範囲内で、第二従演出部材５２が第二主演出部材３２に対して相対的に上下方向に移動可能となっている。
【００４７】
第二従演出部材５２には、その装飾部分から下方に延びる部分の中央に第二引っ張りコイルばね５２４（本発明における第二付勢部材に相当する）の一端が引っ掛けられる上第二ばね引掛部５２３が形成されている。第二引っ張りコイルばね５２４の他端は、第二従演出部材支持板７３の中央下部に設けられた下第二ばね引掛部７３２に引っ掛けられている。つまり、第二従演出部材５２は第二引っ張りコイルばね５２４によって下方に向かって付勢されている。以下、第二引っ張りコイルばね５２４によって付勢されて最も下方に位置した状態にある第二従演出部材５２の位置を「初期位置」と称する。
【００４８】
また、第二従演出部材５２には、その幅方向両側の上端に幅方向外側に向かって突出した被係合突起５２２が形成されている。一方、第二主演出部材３２には、その幅方向両側の下端に前方に向かって突出した鉤状の係合突起３２１が形成されている。第二被ガイド突起５２１が第二ガイド孔７３１に案内された状態で第二主演出部材３２が上方、すなわち進出位置に向かって移動したとき、係合突起３２１に被係合突起５２２が接触していない状態においては、第二主演出部材３２まで伝わった駆動源（モータ６１）の動力が第二従演出部材５２まで伝わらないため、第二従演出部材５２は第二引っ張りコイルばね５２４の付勢力によって初期位置に位置した状態となる。係合突起３２１に被係合突起５２２が接触した後は、被係合突起５２２が係合突起３２１に持ち上げられるようにして第二主演出部材３２とともに第二従演出部材５２が上方に向かって移動する。つまり、第二従演出部材５２は、第二主演出部材３２が進出位置に位置した状態となるまで上方に向かって移動する。以下、当該第二主演出部材３２が進出位置に位置したときにおける第二従演出部材５２の位置を「被覆位置」と称する。
【００４９】
上述したように、被係合突起５２２は第二従演出部材５２の上端に位置する。また、係合突起３２１は第二主演出部材３２の下端に位置する。そのため、第二主演出部材３２が上方に移動し係合突起３２１に被係合突起５２２が接触した後は、第二従演出部材５２の装飾部分が第二主演出部材３２の装飾部分（前面）と重ならない（厳密には隙間が生じないように僅かに重なる）状態となる。つまり、進出位置に位置する第二主演出部材３２が表示領域９２１に対して前後方向に重なる部分（被覆する部分）と、被覆位置に位置する第二従演出部材５２が表示領域９２１に対して前後方向に重なる部分（被覆する部分）とが異なる部分となるように構成されている（詳細は後述の動作説明参照）。
【００５０】
２）駆動機構の構成
以下、上記各演出部材を動作させる駆動機構６について説明する。なお、本実施形態において、駆動機構６によって直接動作するのは主演出部材３のみである。つまり、補助演出部材４および従演出部材５は、駆動機構６によって動作する主演出部材３の動作に付随して動作（変位）するもの、すなわち駆動機構６によって間接的に動作するものである（厳密には、駆動機構６だけでなく付勢部材（ねじりコイルばね４４や引っ張りばね）によって動作するものである）。なお、以下で説明する駆動機構６はあくまで一例であり、第一主演出部材３１および第二主演出部材３２を上下方向に動作させることができる構成であれば以下の構成に限定されない。
【００５１】
駆動機構６は、モータ６１および動力伝達要素を有する。図５〜図９に示すように、主演出部材３を動作させる駆動源となるモータ６１は、ベース部材７の下方に左右一対、計二つ設置されている。動力伝達要素は、上下方向に並べられた複数のギア６２と、第一ラック部材６３および第二ラック部材６４を有する。
【００５２】
上下方向に並べられた複数のギア６２（図８参照）は、各々が隣り合うギアと噛合している。モータ６１の出力軸には最も下に位置するモータギア６２１が固定されており、モータ６１が駆動するとその動力は最も上方に位置する出力ギア６２２まで伝達される。
【００５３】
第一ラック部材６３は、上述したように第一主演出部材３１に接続された第一主演出部材取付具７２１の他端が固定された部材である。第一ラック部材６３の前面には、前方に向かって突出した二つの第一被案内突起６３２が形成されている。上側の第一被案内突起６３２はレール部材７１の上側の第一案内孔７１１に係合され、下側の第一被案内突起６３２は、レール部材７１の下側の第一案内孔７１１に係合されている。同様に、第二主演出部材３２に接続された第二主演出部材取付具７２２の他端が固定された第二ラック部材６４の前面には、前方に向かって突出した二つの第二被案内突起６４２が形成されている。上側の第二被案内突起６４２はレール部材７１の上側の第二案内孔７１２に係合され、下側の第二被案内突起６４２は、レール部材７１の下側の第二案内孔７１２に係合されている。つまり、第一ラック部材６３および第二ラック部材６４は、その案内突起が案内孔に案内される方向、すなわち上下方向に移動可能に取り付けられている。
【００５４】
第一ラック部材６３および第二ラック部材６４のラック部は、出力ギア６２２に噛合している。具体的には、出力ギア６２２の幅方向外側で第一ラック部材６３の第一ラック部６３１が噛合しており、幅方向内側で第二ラック部材６４の第二ラック部６４１が噛合している。したがって、モータ６１の動力が出力ギア６２２まで伝達され、当該ギアが回転すると、それに噛合する第一ラック部材６３および第二ラック部材６４が上下方向に移動する。第一ラック部６３１および第二ラック部６４１は、幅方向に挟むようにして出力ギア６２２に噛合しているため、出力ギア６２２が回転したときの第一ラック部材６３の移動方向と第二ラック部材６４の移動方向は逆になる。つまり、出力ギア６２２が一方側に回転する（モータ６１が一方側に回転する）と第一ラック部材６３が下方に、第二ラック部材６４が上方に移動し、出力ギア６２２が他方側に回転する（モータ６１が他方側に回転する）と第一ラック部材６３が上方に、第二ラック部材６４が下方に移動する。
【００５５】
上述したように、これらラック部材には主演出部材取付具を介して主演出部材３が接続されている。したがって、モータ６１が駆動しラック部材が上下方向に動作すると、これに合わせて主演出部材３が上下方向に動作することになる。
【００５６】
（収納部の構成）
以下、上記演出装置２が有する各演出部材が収納される収納部について説明する。収納部は、ベース部材７およびそれに取り付けられた各種部材によって構成される空間（領域）を形成する部分であり、当該空間には演出作用を発現しない位置に位置する各演出部材が収納される。具体的には、待機位置に位置する主演出部材３、待機位置に位置する第一主演出部材３１に取り付けられた非被覆姿勢にある補助演出部材４、および初期位置に位置する従演出部材５が収納される。
【００５７】
本実施形態では、図４および図５に示すように、収納部として第一主演出部材３１、補助演出部材４、および第一従演出部材５１が収納される第一収納部７４と、第二主演出部材３２および第二従演出部材５２が収納される第二収納部７５とが設けられている。第一収納部７４はベース部材７の上側に位置し、第二収納部７５はベース部材７の下側に位置する。基本的には、両収納部は、幅方向に細長い主演出部材３や補助演出部材４が収納される空間であるため、それに合わせた幅方向に細長い空間となっている。ただし、第一収納部７４には、その他の箇所に比較して狭い箇所が形成されている。ここでいう、その他の箇所に比較して狭い箇所が形成された構成とは、単純に当該箇所の空間の大きさ（体積）が他の箇所よりも小さいという構成だけではなく、当該箇所全体の形状がその他の箇所とは異なるように形成された構成（ある特定の方向における当該箇所の大きさが他の箇所より小さい構成）や当該箇所において空間に突出する突起等の障害物が存在するものなど、当該箇所に収納対象物を収納するのに妨げとなる部分が存在する構成をいうものとする。
【００５８】
本実施形態では、ベース部材７の上側壁の右側が下方に凹んだ形状となっており、当該凹みＨ（図４および図５参照）により第一収納部７４は「その他の箇所に比較して狭い箇所」を有する空間となっている。つまり、第一収納部７４における「その他の箇所に比較して狭い箇所」は、「その他の箇所」に比べて少なくとも上下方向の大きさが小さい箇所である、ということになる。この第一収納部７４における「その他の箇所に比較して狭い箇所」は、第一主演出部材３１に取り付けられた補助演出部材４が収納される箇所となる（以下、補助演出部材収納箇所７４１と称する）。
【００５９】
なお、かかる補助演出部材収納箇所７４１がその他の箇所に比較して上下方向の大きさが小さいのは、ベース部材７の上方に遊技機１に遊技球を供給、貯留する球タンク等が配置されるためである。すなわち、当該球タンク等の配置スペースを確保するために、ベース部材７の上側壁の右側が下方に凹んだ形状となっている。このように、遊技機１においては、限られたスペース内に各種部材を配置するために、収納部の特定の箇所が他の箇所に比較して狭く形成されることがある。
【００６０】
この上下方向の大きさが小さい補助演出部材収納箇所７４１には、補助演出部材変位部７４１ａが設けられている。補助演出部材変位部７４１ａは、表示領域９２１に略平行な面Ｐ１と表示領域９２１に略直交する面Ｐ２とを繋ぐ曲面Ｃを有する部材である（図１７参照）。かかる補助演出部材変位部７４１ａの作用については後述する。
【００６１】
また、ベース部材７における表示領域９２１と略平行な面Ｐ１の上部左側には、第一収納部７４に向かって突出する押出突起７７が形成されている（図１８および図１９参照）。かかる押出突起７７の作用については後述する。
【００６２】
（演出装置の作用）
上記構成を備える演出装置２の作用（動作）について一部上記説明と重複するが以下詳細に説明する。なお、以下の説明は、演出作用を発現しない位置（収納部に収納された状態）から演出作用を発現する位置（姿勢）までの各演出部材の動作（演出動作）と、演出作用を発現する位置（姿勢）から演出作用を発現しない位置（収納部に収納された状態）までの各演出部材の動作（収納動作）に分けて説明する。
【００６３】
１）演出動作
演出動作は、各演出部材を表示領域９２１に対して前後方向に重なる（表示領域９２１の所定部位を覆う）位置に位置させる動作である。この演出動作によって、主演出部材３は待機位置から進出位置、補助演出部材４は非被覆姿勢から被覆姿勢、従演出部材５は初期位置から被覆位置、というようにそれぞれ位置や姿勢を変化させる。
【００６４】
まず、駆動源であるモータ６１を一方側に回転（正転）させる。このモータ６１の動力は、複数のギア６２により出力ギア６２２に噛合する第一ラック部材６３および第二ラック部材６４まで伝達される。これにより、第一ラック部材６３はその第一被案内突起６３２が第一案内孔７１１に案内されながら下方に向かって移動し、第二ラック部材６４はその第二被案内突起６４２が第二案内孔７１２に案内されながら上方に向かって移動する。
【００６５】
第一ラック部材６３が下方に向かって移動すると、第一主演出部材取付具７２１を介して第一ラック部材６３に接続されている第一主演出部材３１が下方に向かって移動する。つまり、第一主演出部材３１が待機位置から進出位置に向かって移動する。同様に、第二ラック部材６４が上方に向かって移動すると、第二主演出部材取付具７２２を介して第二ラック部材６４に接続されている第二主演出部材３２が上方に向かって移動する。つまり、第二主演出部材３２が待機位置から進出位置に向かって移動する。進出位置まで移動した両主演出部材３は、他方の主演出部材３側の縁同士が当接した状態となる（他方の主演出部材３側の縁同士が当接した状態となるまで移動する）。本実施形態では、当該当接位置が、上下方向における表示領域９２１の略中央になるように設定されている。
【００６６】
ここで、上述したように、第一主演出部材３１は、第一主演出部材取付具７２１に対し、取付ねじ７２１ｂが長孔７２１ａ内を動き得る範囲において相対的に上下方向に動き得る。通常時（第一主演出部材３１と第二主演出部材３２が当接していない状態）においては、第一主演出部材３１は自身の重みにより第一主演出部材取付具７２１に対する相対位置が最も下方となる。そのため、第一主演出部材３１と第二主演出部材３２が当接したときには第一主演出部材３１がその当接による衝撃を吸収するように上方に動く。つまり、本実施形態では、第一主演出部材３１と第二主演出部材３２の当接時の衝撃による主演出部材３や駆動機構６の破損を防止するため、第一主演出部材３１と第一主演出部材取付具７２１との接続に長孔７２１ａ分の小さな可動範囲を設定している。なお、このような可動範囲を設定する接続構造は、第二主演出部材３２と第二主演出部材取付具７２２の接続に適用してもよいし、両主演出部材３と両演出部材取付具それぞれの接続に適用してもよい。このようにしても同様の破損防止効果が得られるからである。
【００６７】
第一主演出部材３１が待機位置から進出位置に向けて移動すると、第一主演出部材３１に取り付けられた補助演出部材４はその姿勢を非被覆姿勢から被覆姿勢に変化させる。第一主演出部材３１が待機位置に位置するとき、補助演出部材４は第一収納部７４の補助演出部材収納箇所７４１に収納されている。補助演出部材４は、ねじりコイルばね４４により被覆姿勢となる方向に付勢されているが、その上端が補助演出部材変位部７４１ａの表示領域９２１に略直交する面Ｐ２に接触することにより（表示領域９２１に略直交する面Ｐ２に押さえられて）、非被覆姿勢にある。第一主演出部材３１が待機位置から進出位置に向かって移動すると、補助演出部材変位部７４１ａと補助演出部材４の接触位置が変化していく。具体的には、補助演出部材４の先端（被覆姿勢にあるときの上端）が表示領域９２１に略直交する面Ｐ２に接触した状態（図１７（ａ）（ｂ））から、曲面Ｃに接触した状態に移行し（図１７（ｃ））、最終的には補助演出部材変位部７４１ａから離れ、ねじりコイルばね４４の付勢力により表示領域９２１に略平行な被覆姿勢となる（図１７（ｄ））。つまり、第一主演出部材３１が進出位置に位置したとき、補助演出部材４は第一主演出部材３１とともに表示領域９２１を覆う。詳しくは、補助演出部材４は、第一主演出部材３１の切り欠かれた箇所３１１を補うように、表示領域９２１における当該切り欠かれた箇所３１１に前後方向に重なる部分を覆う。
【００６８】
また、第一主演出部材３１が待機位置から進出位置に移動すると、第一従演出部材５１は次のように初期位置から被覆位置に移動する。第一主演出部材３１が待機位置に位置するとき、第一従演出部材５１は第一引っ張りコイルばね５１３によって上方に付勢されベース部材７の上側壁に近接した状態にある。つまり、第一従演出部材５１は第一収納部７４に収納された初期位置に位置する。第一主演出部材３１が待機位置から進出位置に向かって移動しはじめても、第一主演出部材３１の第一被ガイド突起３１２が第一従演出部材５１の第一ガイド孔５１１の下端側内壁面に接触する前の段階では、第一主演出部材３１に伝わったモータ６１の動力は第一従演出部材５１には伝わらないから、第一従演出部材５１はそのまま初期位置に位置する。つまり、この段階では、その場に留まっている第一従演出部材５１に対して第一主演出部材３１は下方に移動していくため、前後方向に重なった状態にあった両演出部材がだんだんと平面方向に離れていく。
【００６９】
第一主演出部材３１の第一被ガイド突起３１２が第一従演出部材５１の第一ガイド孔５１１の下端側内壁面に接触すると、第一従演出部材５１の装飾部分と第一主演出部材３１の装飾部分（前面）とは前後方向に重ならない（厳密には隙間が生じないように僅かに重なる；それぞれ異なる表示領域を覆う）状態となる。そして、このように第一被ガイド突起３１２が第一ガイド孔５１１の下端側内壁面に接触した後は、第一主演出部材３１が進出位置に向かって移動するにつれて、第一被ガイド突起３１２によって第一ガイド孔５１１の下端側内面が押され、第一主演出部材３１とともに第一従演出部材５１が第一引っ張りコイルばね５１３の付勢力に抗して下方に向かって移動していく。つまり、両演出部材は、装飾部分同士が重ならない状態のまま（互いの相対的位置関係を変化させずに）下方に向かって移動していく。第一主演出部材３１が進出位置に到達すると、第一従演出部材５１は被覆位置に到達する。進出位置に位置する第一主演出部材３１は、補助演出部材４とともに表示領域９２１の中央寄り部位を覆う。一方、被覆位置に位置する第一従演出部材５１は、第一主演出部材３１および補助演出部材４とは異なる、第一主演出部材３１および補助演出部材４が覆う部位よりも上方側の部位を覆う。
【００７０】
一方、第二主演出部材３２が待機位置から進出位置に移動すると、第二従演出部材５２は次のように初期位置から被覆位置に移動する。第二主演出部材３２が待機位置に位置するとき、第二従演出部材５２は第二引っ張りコイルばね５２４によって下方に付勢され、第二収納部７５に収納された初期位置に位置する。第二主演出部材３２が待機位置から進出位置に向かって移動しはじめても、第二従演出部材５２の被係合突起５２２が第二主演出部材３２の係合突起３２１に接触する前の段階では、第二主演出部材３２に伝わったモータ６１の動力は第二従演出部材５２には伝わらないから、第二従演出部材５２はそのまま初期位置に位置する。つまり、この段階では、その場に留まっている第二従演出部材５２に対して第二主演出部材３２は上方に移動していくため、前後方向に重なった状態にあった両演出部材がだんだんと平面方向に離れていく。
【００７１】
第二従演出部材５２の被係合突起５２２が第二主演出部材３２の係合突起３２１に接触すると、第二従演出部材５２の装飾部分と第二主演出部材３２の装飾部分（前面）とは前後方向に重ならない（厳密には隙間が生じないように僅かに重なる；それぞれ異なる表示領域を覆う）状態となる。そして、このように被係合突起５２２が係合突起３２１に接触した後は、鉤状の係合突起３２１によって被係合突起５２２が持ち上げられるようにして、第二主演出部材３２が進出位置に向かって移動するにつれて第二主演出部材３２とともに第二従演出部材５２が第二引っ張りコイルばね５２４の付勢力に抗して上方に向かって移動していく。つまり、両演出部材は、装飾部分同士が重ならない状態のまま（互いの相対的位置関係を変化させずに）上方に向かって移動していく。第二主演出部材３２が進出位置に到達すると、第二従演出部材５２は被覆位置に到達する。進出位置に位置する第二主演出部材３２は、表示領域９２１の中央寄り部位を覆う。一方、被覆位置に位置する第二従演出部材５２は、第二主演出部材３２とは異なる、第二主演出部材３２が覆う部位よりも下方側の部位を覆う。
【００７２】
以上説明したように動作する各演出部材のうち、主演出部材３と補助演出部材４の二つを抽出して見ると、両者の関係性に関して以下のことが言える。第一主演出部材３１および第二主演出部材３２が進出位置まで移動すると、第一主演出部材３１に取り付けられた補助演出部材４が被覆姿勢となる。被覆姿勢となった補助演出部材４は、第一主演出部材３１の切り欠かれた箇所３１１を補うように表示領域９２１を覆う。第一主演出部材３１が全く切り欠かれた箇所３１１のない長方形に形成された部材であると仮定した場合、当該仮定の形状と第二主演出部材３２の形状は略同じであるから、表示領域９２１における、第一主演出部材３１と補助演出部材４が覆う領域の形状は、第二主演出部材３２が覆う領域の形状と略同じである。加えて、進出位置に位置する第一主演出部材３１と進出位置に位置する第二主演出部材３２とは、上下方向における表示領域９２１の略中央において他方の主演出部材３側の縁同士が当接した状態となる。つまり、当該当接した縁を対称軸（図３および図７においてＸで示す）として（表示領域９２１を上下方向に略二分する直線を対称軸Ｘとして）、第一主演出部材３１と補助演出部材４が覆う領域と、第二主演出部材３２が覆う領域とが、略線対称になるということである。
【００７３】
一方、主演出部材３、補助演出部材４、および従演出部材５という全ての演出部材の関係性に関しては以下のことが言える。第一主演出部材３１と補助演出部材４は上下方向における表示領域９２１の略中央寄りの上方側を覆い、第二主演出部材３２は上下方向における表示領域９２１の略中央寄りの下方側を覆う。第一従演出部材５１は上下方向における表示領域９２１の略中央よりも上方にある領域のうち、第一主演出部材３１と補助演出部材４によって覆われなかった領域を覆う。第二従演出部材５２は上下方向における表示領域９２１の略中央よりも下方にある領域のうち、第二主演出部材３２によって覆われなかった領域を覆う。このように、両従演出部材５は、主演出部材３および補助演出部材４によって覆われなかった領域を覆う。つまり、表示領域９２１は、二つの主演出部材３、補助演出部材４、および二つの従演出部材５によって略全域が覆われるということである。
【００７４】
２）収納動作
演出作用を発現する位置に位置する各演出部材を収納部に収納させる際には、まずモータ６１を他方側に回転（逆転）させる。このモータ６１の動力は、複数のギア６２により出力ギア６２２に噛合する第一ラック部材６３および第二ラック部材６４まで伝達される。これにより、第一ラック部材６３はその第一被案内突起６３２が第一案内孔７１１に案内されながら上方に向かって移動し、第二ラック部材６４はその第二被案内突起６４２が第二案内孔７１２に案内されながら下方に向かって移動する。
【００７５】
第一ラック部材６３が上方に向かって移動すると、第一主演出部材取付具７２１を介して第一ラック部材６３に接続されている第一主演出部材３１が上方に向かって移動する。つまり、第一主演出部材３１が進出位置から待機位置に向かって移動する。同様に、第二ラック部材６４が下方に向かって移動すると、第二主演出部材取付具７２２を介して第二ラック部材６４に接続されている第二主演出部材３２が下方に向かって移動する。つまり、第二主演出部材３２が進出位置から待機位置に向かって移動する。
【００７６】
第一主演出部材３１が進出位置から待機位置に向けて移動すると、第一主演出部材３１に取り付けられた補助演出部材４はその姿勢を被覆姿勢から非被覆姿勢に変化させる。第一主演出部材３１が進出位置に位置するとき、補助演出部材４はねじりコイルばね４４の付勢力により表示領域９２１に略平行な被覆姿勢にある（図１７（ｄ））。第一主演出部材３１が進出位置から待機位置に向かって所定距離移動すると、被覆姿勢にある補助演出部材４の上端が、第一収納部７４における補助演出部材収納箇所７４１に設けられた補助演出部材変位部７４１ａの曲面Ｃに接触する（図１７（ｃ））。このように曲面Ｃに接触した接触した後、第一主演出部材３１が待機位置に向かって移動すると、当該移動する力によって補助演出部材４が曲面Ｃに押しつけられ、補助演出部材４は補助演出部材４を起立させようとするねじりコイルばね４４の付勢力よりも大きな補助演出部材４を傾倒させようとする反作用力を曲面Ｃから受ける。つまり、主演出部材３が待機位置に向かって移動するにつれて当該接触位置が変化し、被覆姿勢にある補助演出部材４がねじりコイルばね４４の付勢力に抗して非被覆姿勢となる方向へ徐々に回動していく（図１７（ｃ）→（ｂ））。最終的には、補助演出部材４の上端が補助演出部材変位部７４１ａの表示領域９２１に略直交する面Ｐ２に接触した状態となり、補助演出部材４は非被覆姿勢となる（図１７（ａ））。本実施形態では、このように第一主演出部材３１が待機位置へ移動すると、当該移動する力を利用した補助演出部材変位部７４１ａの作用により補助演出部材４が必ず非被覆姿勢となるように構成されている。
【００７７】
待機位置に位置する第一主演出部材３１およびそれに取り付けられた補助演出部材４は、第一収納部７４に収納される。特に補助演出部材４は、第一収納部７４におけるその他の箇所よりも狭く形成された補助演出部材収納箇所７４１に収納される。このように本実施形態では、第一主演出部材３１が待機位置に位置したとき、「補助演出部材４が非被覆姿勢となるから」一部が狭く形成された第一収納部７４に両演出部材を収納することができるものである。逆の見方をすれば、第一収納部７４は、仮に第一主演出部材３１が待機位置に位置するときに補助演出部材４が非被覆姿勢にならない（被覆姿勢のままである）状態が保たれるとすると、その他の箇所よりも狭く形成された補助演出部材収納箇所７４１に補助演出部材４を収納することができない、延いては両演出部材を収納することができない形状であるということである。また、同様の観点から言えば、第一収納部７４は、仮に第一主演出部材３１が切り欠かれた箇所３１１のない形状（補助演出部材４が取り付けられていない第二主演出部材３２と同じ長方形状）であるとすれば、当該演出部材を収納することができない形状であるということである。
【００７８】
第一主演出部材３１が待機位置から進出位置に移動すると、第一従演出部材５１は次のように被覆位置から初期位置に移動する。第一主演出部材３１が進出位置から待機位置に向かって移動すると、その移動する第一主演出部材３１に形成された第一被ガイド突起３１２が上方に向かって移動する。第一被ガイド突起３１２は、第一従演出部材５１の第一ガイド孔５１１の下端側内壁面に接触して、第一引っ張りコイルばね５１３の付勢力に抗して第一従演出部材５１を下方に押し下げていた部分であるから、第一被ガイド突起３１２が上方に移動するとそれに伴って第一引っ張りコイルばね５１３の付勢力により第一従演出部材５１が上方に移動していく。
【００７９】
第一主演出部材３１が所定距離上方に移動すると、第一主演出部材３１よりも先行して上方に移動する第一従演出部材５１が先に第一収納部７４に収納された（初期位置に位置した）状態となる。つまり、第一従演出部材５１はそれ以上上方に移動することができないということであるから、それ以降は第一従演出部材５１が動かず、第一主演出部材３１が上方、すなわち待機位置に向かって移動する。具体的には、第一被ガイド突起３１２が第一ガイド孔５１１の下端側内壁面から離れ、前後方向における第一主演出部材３１と第一従演出部材５１との重なりが大きくなっていく。そして、第一主演出部材３１が待機位置まで到達すると、手前側に位置する第一従演出部材５１（装飾部分）の略全体が奥側に位置する第一主演出部材３１に重なった状態で両演出部材が第一収納部７４に収納される。上記のように、第一主演出部材３１が待機位置に位置すると、補助演出部材４は非被覆姿勢となって第一収納部７４の補助演出部材収納箇所７４１に収納される。つまり、第一収納部７４に、待機位置に位置する第一主演出部材３１、非被覆姿勢にある補助演出部材４、および初期位置に位置する第一従演出部材５１が収納された状態となる。
【００８０】
また、上述したように、本実施形態では、ベース部材７には第一収納部７４に向かって突出する押出突起７７が形成されている。この押出突起７７は、上記第一主演出部材３１および第一従演出部材５１の収納動作をスムーズにする役割を果たす。具体的には次の通りである。
【００８１】
図１８（ａ）および図１９（ａ）に示す状態から第一従演出部材５１が第一収納部７４内に進入すると、図１８（ｂ）および図１９（ｂ）に示すように第一従演出部材５１は押出突起７７に接触し、この押出突起７７の高さ分手前側に押し出される。このように先行して第一収納部７４内に収納される第一従演出部材５１が手前側に押し出されると、その後第一従演出部材５１の後方に入り込むようにして第一収納部７４内に進入する第一主演出部材３１の収納スペースが第一従演出部材５１が手前側に押し出された分大きくなる。つまり、先に第一収納部７４に収納される第一従演出部材５１と、後から第一収納部７４内に進入しようとする第一主演出部材３１の干渉が防止され、第一主演出部材３１の収納動作がスムーズなものとなる。
【００８２】
一方、第二主演出部材３２が進出位置から待機位置に移動すると、第二従演出部材５２は次のように被覆位置から初期位置に移動する。第二主演出部材３２が進出位置から待機位置に向かって移動すると、その移動する第二主演出部材３２に形成された係合突起３２１が下方に向かって移動する。係合突起３２１は第二従演出部材５２の被係合突起５２２に接触して、第二引っ張りコイルばね５２４の付勢力に抗して第二従演出部材５２を持ち上げていた部分であるから、係合突起３２１が下方に移動するとそれに伴って第二引っ張りコイルばね５２４の付勢力により第二従演出部材５２が下方に移動していく。
【００８３】
第二主演出部材３２が所定距離下方に移動すると、第二主演出部材３２よりも先行して下方に移動する第二従演出部材５２が先に第二収納部７５に収納された（初期位置に位置した）状態となる。つまり、第二従演出部材５２はそれ以上下方に移動することができないということであるから、それ以降は第二従演出部材５２が動かず、第二主演出部材３２が下方、すなわち待機位置に向かって移動する。具体的には、係合突起３２１が被係合突起５２２から離れ、前後方向における第二主演出部材３２と第二従演出部材５２との重なりが大きくなっていく。そして、第二主演出部材３２が待機位置まで到達すると、手前側に位置する第二従演出部材５２（装飾部分）の略全体が奥側に位置する第二主演出部材３２に重なった状態で両演出部材が第二収納部７５に収納される。
【００８４】
なお、この第二従演出部材５２および第二主演出部材３２の収納動作に際し、第二主演出部材３２の収納動作をスムーズなものとするため、第二従演出部材５２に作用する上記押出突起７７に相当する構成を設けてもよい。
【００８５】
（本実施形態の効果）
以上説明した本実施形態にかかる遊技機１によれば次のような効果が奏される。
【００８６】
本実施形態にかかる遊技機１では、表示領域９２１が第一主演出部材３１および第二主演出部材３２だけでなく、補助演出部材４にも覆われる。つまり、表示領域９２１における演出部材に覆われる領域を補助演出部材４の分、従来に比して大きくすることが可能となる。そして、補助演出部材４は、第一主演出部材３１が待機位置に位置するときに非被覆姿勢となるものであるから、演出部材全体が表示領域９２１に沿う面方向に大きくなってしまうのを抑制することが可能となる。つまり、限られた遊技機１内のスペースに演出部材を配置することが容易となる。
【００８７】
また、第一主演出部材３１が待機位置に位置するとき、補助演出部材４は非被覆姿勢となっているため、その他の箇所に比較して狭い部分（補助演出部材収納箇所７４１）のある第一収納部７４内に両演出部材を収納することが可能となる。つまり、仮に第一主演出部材３１が待機位置に位置するときに補助演出部材４が被覆姿勢となる（補助演出部材４を用いずに第一主演出部材３１のみで同じ領域を覆うことができる）ように構成すると、第一収納部７４内に両演出部材を収納することが困難になるところ、本実施形態によれば、補助演出部材４が非被覆姿勢となるため、当該第一収納部７４内に両演出部材を収納することが可能である。
【００８８】
また、本実施形態では、第一収納部７４におけるその他の箇所に比較して狭く形成された補助演出部材収納箇所７４１に設けられた補助演出部材変位部７４１ａにより、主演出部材３の移動に伴って補助演出部材４を非被覆姿勢に変位させることが可能である。具体的には、補助演出部材変位部７４１ａを補助演出部材４が接触する曲面Ｃを有する構成とするだけでよいから、構造が簡単であり、製造コストの抑制に資する。
【００８９】
また、本実施形態では、第一主演出部材３１および補助演出部材４によって覆われる領域と、第二主演出部材３２によって覆われる領域が略同じになる。より詳しくは、第一主演出部材３１および補助演出部材４によって覆われる領域と、第二主演出部材３２によって覆われる領域が略線対称になる。つまり、演出部材を配置するスペースの制限があるような場合であっても、補助演出部材４を用いることによって、一方側の演出部材（組）と他方側の演出部材（組）との釣り合いがとれた美しい演出形態とすることが可能になる。
【００９０】
また、補助演出部材４に加え、第一主演出部材３１の移動に伴って移動する第一従演出部材５１、第二主演出部材３２の移動に伴って移動する第二従演出部材５２を用いることにより、二つの主演出部材３、補助演出部材４、および二つの従演出部材５によって表示領域９２１の略全域を覆うことができる構成とすることが可能となる。しかも、これらの従演出部材５は、初期位置においてその略全体が主演出部材３に重なって第一収納部７４または第二収納部７５に収納される構成であるから、従演出部材５を配置するスペースを確保することが困難とあるという問題も生じない。
【００９１】
このように、本実施形態にかかる遊技機１では、主演出部材３が待機位置に位置するとき、補助演出部材４は非被覆姿勢にあり、従演出部材５はその略全体が主演出部材３に重なった状態にある。つまり、本実施形態にかかる遊技機１は、演出作用を発現しない状態における各演出部材の配置スペースが小さいにも拘わらず、演出作用を発現する状態において表示領域９２１に重なる部分（被覆する領域）が大きいという点で優れるものである。
【００９２】
以上、本発明の実施の形態について詳細に説明したが、本発明は上記実施の形態に何ら限定されるものではなく、本発明の要旨を逸脱しない範囲で以下のような種々の改変が可能である。
【００９３】
上記実施形態は、第一主演出部材３１および第二主演出部材３２という二つの主演出部材３を備える構成であることを説明したが、主演出部材３を一つとしてもよい。すなわち、駆動源によって動作する一つの主演出部材３を設けるとともに、その主演出部材３の移動によって変位する補助演出部材４、およびその主演出部材３の移動によって移動する従演出部材５を設けた構成としてもよい。
【００９４】
上記実施形態では、演出装置２の演出部材として、主演出部材３、補助演出部材４、および従演出部材５という三種の演出部材が設けられていることを説明したが、補助演出部材４または従演出部材５が用いられていない構成としてもよい。すなわち、演出装置２の演出部材として主演出部材３と補助演出部材４の二種が用いられる構成や、主演出部材３と従演出部材５の二種が用いられる構成としてもよい。
【００９５】
上記実施形態では、第一主演出部材３１に補助演出部材４が取り付けられていることを説明したが、第二主演出部材３２に補助演出部材４が取り付けられた構成としてもよいし、両主演出部材３に補助演出部材４が取り付けられた構成としてもよい。具体的には、表示領域９２１における第一主演出部材３１単独または第一主演出部材３１と補助演出部材４によって覆われる領域が、第二主演出部材３２単独または第二主演出部材３２と補助演出部材４によって覆われる領域と略同じ（略線対称）になるように設定されるのであれば、補助演出部材４がいずれか一方の主演出部材３に取り付けられた構成としてもよいし、両主演出部材３に取り付けられた構成としてもよい。
【００９６】
上記実施形態では、第一主演出部材３１および第二主演出部材３２のそれぞれに対応する第一従演出部材５１および第二従演出部材５２が設けられていることを説明したが、主演出部材３のいずれか一方のみに対応する一つの従演出部材５が設けられる構成としてもよい。
【００９７】
上記実施形態における各演出部材は、演出作用を発現する位置において表示領域９２１に前後方向で重なるものであればその具体的な態様は特定のものに限定されない。例えば、前後方向で表示領域９２１に重なったとき、表示領域９２１が全く見えなくなるように遮蔽する部材として機能させてもよいし、一部透明または半透明な箇所を有し、その透明または半透明な箇所に表示装置９２の表示領域９２１に表示される映像を重ねることにより、表示装置９２と協働した演出を提供するように機能させてもよい。
【００９８】
上記実施形態では、第一主演出部材３１および第二主演出部材３２を上下方向に動作させる構成であったが、第一主演出部材３１および第二主演出部材３２の移動方向は上下方向に限らず、左右や斜め方向であってもよい。
【００９９】
上記実施形態から得られる具体的手段の例を以下に記載する。
手段１；画像を表示可能な表示領域を有する表示装置と、前記表示領域よりも前側で、互いに離れた状態であって前記表示領域を覆う領域が相対的に小さい待機位置と、互いに近接した状態であって前記表示領域を覆う領域が相対的に大きい進出位置との間を移動可能に設けられた第一主演出部材および第二主演出部材と、この第一主演出部材および第二主演出部材の少なくともいずれか一方に、前記表示領域を覆わない状態である非被覆姿勢と、前記表示領域を覆う状態である被覆姿勢との間を変位可能となるように取り付けられた補助演出部材と、を備え、前記第一主演出部材および前記第二主演出部材が前記待機位置に位置するときにはそれに取り付けられた前記補助演出部材が前記非被覆姿勢となる一方、前記第一主演出部材および前記第二主演出部材が前記進出位置に位置するときにはそれに取り付けられた前記補助演出部材が前記被覆姿勢となり、前記表示領域の少なくとも一部がこれら第一主演出部材、第二主演出部材、および補助演出部材に覆われた状態となる遊技機。
【０１００】
手段２；手段１において、前記待機位置に位置する主演出部材の少なくとも一部、または、前記待機位置に位置する主演出部材の少なくとも一部およびこの主演出部材に取り付けられた補助演出部材が収納される収納部を備え、前記収納部は、前記主演出部材が待機位置に位置するとき、それに取り付けられた前記補助演出部材が被覆姿勢であるとこれら両演出部材を収納することは困難な形状である一方、前記補助演出部材が前記非被覆姿勢となることにより両演出部材を収納することが可能な形状である遊技機。
【０１０１】
手段３；手段２において、前記収納部のうち、前記待機位置に位置する主演出部材の少なくとも一部およびこの主演出部材に取り付けられた補助演出部材の両方が収納される収納部には、その他の箇所に比較して狭い補助演出部材収納箇所が形成されており、この補助演出部材収納箇所に前記非被覆姿勢となった補助演出部材が収納される遊技機。
【０１０２】
手段４；手段３において、前記補助演出部材を前記被覆姿勢となる方向に付勢する第一付勢部材を備え、前記補助演出部材収納箇所には、前記主演出部材が前記待機位置の方向に移動するにつれて、前記主演出部材に取り付けられた補助演出部材を前記第一付勢部材の付勢力に抗して前記非被覆姿勢とする方向に変位させる補助演出部材変位部が設けられている遊技機。
【０１０３】
手段５；手段４において、前記補助演出部材は、前記非被覆姿勢となる状態と、前記被覆姿勢となる状態との間を回動可能となるように前記主演出部材に取り付けられており、前記補助演出部材変位部は、前記補助演出部材を前記非被覆姿勢と前記被覆姿勢との間で回動させて変位させる曲面を有し、前記主演出部材が前記進出位置に位置するときに前記被覆姿勢にある補助演出部材が、前記待機位置の方向に移動する前記主演出部材とともに移動し、前記補助演出部材変位部の曲面に接触することにより、前記主演出部材が前記待機位置の方向へ移動するにつれて当該接触位置が変化し、前記被覆姿勢にある補助演出部材が前記第一付勢部材の付勢力に抗して前記非被覆姿勢となる方向へ徐々に回動していくように構成されている遊技機。
【０１０４】
手段６；手段１から手段５のいずれか一つにおいて、前記表示領域における、前記進出位置に位置する第一主演出部材または前記進出位置に位置する第一主演出部材とそれに取り付けられた前記被覆姿勢にある補助演出部材によって覆われる領域の形状は、前記進出位置に位置する第二主演出部材または前記進出位置に位置する第二主演出部材とそれに取り付けられた前記被覆姿勢にある補助演出部材によって覆われる領域の形状と略同じである遊技機。
【０１０５】
手段７；手段６において、前記進出位置に位置する前記第一主演出部材および前記第二主演出部材は、他方の主演出部材側の縁同士が当接した状態となり、当該当接した縁を対称軸として、前記表示領域における、前記進出位置に位置する第一主演出部材または前記進出位置に位置する第一主演出部材とそれに取り付けられた前記被覆姿勢にある補助演出部材によって覆われる領域と、前記進出位置に位置する第二主演出部材または前記進出位置に位置する第二主演出部材とそれに取り付けられた前記被覆姿勢にある補助演出部材によって覆われる領域とが、略線対称である遊技機。
【０１０６】
手段８；手段１から手段７のいずれか一つにおいて、前記第一主演出部材および前記第二主演出部材の少なくともいずれか一方の移動に伴って移動する従演出部材を備え、前記第一主演出部材および前記第二主演出部材が前記進出位置に位置するときには、前記従演出部材が前記表示領域における前記主演出部材および前記補助演出部材が覆う領域とは異なる領域を覆う被覆位置まで移動することにより、前記表示領域の略全域が前記第一主演出部材、前記第二主演出部材、前記補助演出部材、および前記従演出部材によって覆われた状態となる遊技機。
【０１０７】
手段９；手段８において、前記従演出部材を前記初期位置に位置させる方向に付勢する第二付勢部材を備え、前記主演出部材が前記待機位置から前記進出位置に移動したときには、この主演出部材が前記第二付勢部材の付勢力に抗して前記従演出部材を前記被覆位置に移動させ、前記主演出部材が前記進出位置から前記待機位置に移動したときには、前記第二付勢部材の付勢力によって前記従演出部材が前記初期位置に移動させられる遊技機。
【０１０８】
手段１０；画像を表示可能な表示領域を有する表示装置と、前記表示領域よりも前側で、前記表示領域を覆う領域が相対的に小さい状態である待機位置と、前記表示領域を覆う領域が相対的に大きい状態である進出位置との間を移動可能である主演出部材と、前記表示領域を覆わない状態である非被覆姿勢と、前記表示領域を覆う状態である被覆姿勢との間を変位可能となるように前記主演出位置に取り付けられた補助演出部材と、を備え、前記主演出部材が前記待機位置に位置するときには前記補助演出部材が非被覆姿勢となる一方、前記主演出部材が前記進出位置に位置するときには前記補助演出部材が被覆姿勢となり、前記表示領域の少なくとも一部がこれら主演出部材および補助演出部材に覆われた状態となる遊技機。
【０１０９】
手段１１；手段１０において、前記待機位置に位置する主演出部材の少なくとも一部およびこの主演出部材に取り付けられた補助演出部材が収納される収納部を備え、前記収納部には、前記非被覆姿勢となった補助演出部材が収納される補助演出部材収納箇所が形成されている遊技機。
【０１１０】
手段１２；手段１１において、前記補助演出部材を前記被覆姿勢となる方向に付勢する第一付勢部材を備え、前記補助演出部材収納箇所には、前記主演出部材が前記待機位置の方向に移動するにつれて、この主演出部材に取り付けられた補助演出部材を前記第一付勢部材の付勢力に抗して前記非被覆姿勢とする方向に変位させる補助演出部材変位部が設けられている遊技機。
【０１１１】
手段１３；手段１２において、前記補助演出部材は、前記非被覆姿勢となる状態と、前記被覆姿勢となる状態との間を回動可能となるように前記主演出部材に取り付けられており、前記補助演出部材変位部は、前記補助演出部材を前記非被覆姿勢と前記被覆姿勢との間で回動させて変位させる曲面を有し、前記主演出部材が前記進出位置に位置するときに前記被覆姿勢にある補助演出部材が、前記待機位置の方向に移動する前記主演出部材とともに移動し、前記補助演出部材変位部の曲面に接触することにより、前記主演出部材が前記待機位置の方向へ移動するにつれて当該接触位置が変化し、前記被覆姿勢にある補助演出部材が前記第一付勢部材の付勢力に抗して前記非被覆姿勢となる方向へ徐々に回動していくように構成されている遊技機。
【０１１２】
手段１４；手段１０から手段１３のいずれか一つにおいて、前記主演出部材の移動に伴って移動する従演出部材を備え、前記主演出部材が前記進出位置に位置するときには、前記従演出部材が前記表示領域における前記主演出部材および前記補助演出部材が覆う領域とは異なる領域を覆う被覆位置まで移動することにより、前記表示領域の少なくとも一部が前記主演出部材、前記補助演出部材、および前記従演出部材によって覆われた状態となる遊技機。
【０１１３】
手段１５；手段１４において、前記従演出部材を前記初期位置に位置させる方向に付勢する第二付勢部材を備え、前記主演出部材が前記待機位置から前記進出位置に移動したときには、この主演出部材が前記第二付勢部材の付勢力に抗して前記従演出部材を前記被覆位置に移動させ、前記主演出部材が前記進出位置から前記待機位置に移動したときには、前記第二付勢部材の付勢力によって前記従演出部材が前記初期位置に移動させられるところに特徴を有する。
【０１１４】
手段１では、表示領域は第一主演出部材および第二主演出部材だけでなく、補助演出部材にも覆われる。つまり、表示領域における演出部材に覆われる領域を補助演出部材の分、従来に比して大きくすることが可能となる。そして、補助演出部材は、主演出部材が待機位置に位置するときに非被覆姿勢となるものであるから、演出部材全体が表示領域に沿う面方向に大きくなってしまうのを抑制することが可能となる。つまり、限られた遊技機内のスペースに演出部材を配置することが容易になる。
【０１１５】
手段２のように、主演出部材が待機位置に位置するとき、補助演出部材は非被覆姿勢となっているため、所定の収納部内に両演出部材を収納することが可能となる。つまり、仮に主演出部材が待機位置に位置するときに補助演出部材が被覆姿勢となる（補助演出部材を用いずに主演出部材のみで同じ領域を覆うことができる）ように構成すると、当該収納部内に演出部材を収納することが困難になるところ、上記請求項２によれば、当該収納部内に演出部材を収納することが可能となる。
【０１１６】
手段３のように、収納部にその他の箇所に比較して狭い補助演出部材収納箇所が形成されるような構成であっても、主演出部材が待機位置に位置するとき補助演出部材が非被覆姿勢となるから、当該収納部に両演出部材を収納することが可能となる。
【０１１７】
手段４によれば、主演出部材の移動に伴って補助演出部材を変位させる構成を簡単に構築することが可能である。
【０１１８】
手段５によれば、補助演出部材変位部に曲面を設けるという簡単な構造によって補助演出部材を変位させることが可能となる。
【０１１９】
手段６は、第一主演出部材単独または第一主演出部材および補助演出部材によって覆われる領域と、第二主演出部材単独または第二主演出部材および補助演出部材によって覆われる領域が略同じになるというものである。また、手段７は、第一主演出部材単独または第一主演出部材および補助演出部材によって覆われる領域と、第二主演出部材単独または第二主演出部材および補助演出部材によって覆われる領域が略線対称になるというものである。つまり、演出部材を配置するスペースの制限があるような場合であっても、補助演出部材を用いることによって、一方側の演出部材（組）と他方側の演出部材（組）との釣り合いがとれた演出形態とすることが可能となる。
【０１２０】
手段８のように、主演出部材の移動に伴って移動する従演出部材を用いることにより、主演出部材、補助演出部材、および従演出部材によって表示領域の略全域を覆うことができる構成とすることが可能となる。
【０１２１】
手段９によれば、主演出部材の移動に伴って従演出部材を移動させる構成を簡単に構築することが可能である。
【０１２２】
手段１０によれば、補助演出部材に覆われるものである。つまり、表示領域が演出部材に覆われる領域を補助演出部材の分、従来に比して大きくすることが可能となる。そして、補助演出部材は、主演出部材が待機位置に位置するときに非被覆姿勢となるものであるから、演出部材全体が表示領域に沿う面方向に大きくなるのが抑制される。つまり、限られた遊技機内のスペースに演出部材を配置することが容易となる。
【０１２３】
手段１１によれば、主演出部材が待機位置に位置するとき、補助演出部材が非被覆姿勢にあるため、収納部の補助演出部材収納箇所に補助演出部材を収納することが可能となる。
【０１２４】
手段１２によれば、主演出部材の移動に伴って補助演出部材を変位させる構成を簡単に構築することが可能である。
【０１２５】
手段１３によれば、補助演出部材変位部に曲面を形成するという簡易な構造によって補助演出部材を変位させることが可能となる。
【０１２６】
手段１４によれば、主演出部材の移動に伴って移動する従演出部材を用いることにより、主演出部材、補助演出部材、および従演出部材によって表示領域の少なくとも一部が覆われる構成とすることが可能となる。つまり、表示領域における演出部材に覆われる領域をさらに大きくすることが可能となる。
【０１２７】
手段１５によれば、主演出部材の移動に伴って従演出部材を移動させる構成を簡単に構築することが可能である。
【符号の説明】
【０１２８】
１  遊技機
２  演出装置
３  主演出部材
３１  第一主演出部材
３２  第二主演出部材
４  補助演出部材
４４  ねじりコイルばね
５  従演出部材
５１  第一従演出部材
５１３  第一引っ張りコイルばね
５２  第二従演出部材
５２４  第二引っ張りコイルばね
７４  第一収納部
７４１  補助演出部材収納箇所
７４１ａ  補助演出部材変位部
Ｃ  曲面
７５  第二収納部
９２  表示装置
９２１  表示領域
【図１】
0005437421.tif 000002
【図２】
0005437421.tif 000003
【図３】
0005437421.tif 000004
【図４】
0005437421.tif 000005
【図５】
0005437421.tif 000006
【図６】
0005437421.tif 000007
【図７】
0005437421.tif 000008
【図８】
0005437421.tif 000009
【図９】
0005437421.tif 000010
【図１０】
0005437421.tif 000011
【図１１】
0005437421.tif 000012
【図１２】
0005437421.tif 000013
【図１３】
0005437421.tif 000014
【図１４】
0005437421.tif 000015
【図１５】
0005437421.tif 000016
【図１６】
0005437421.tif 000017
【図１７】
0005437421.tif 000018
【図１８】
0005437421.tif 000019
【図１９】
0005437421.tif 000020